【事件の表示】
.　上記当事者間の特許第２１３６２７６号発明「金属調メラミン樹脂化粧板」の特許無効審判事件について、次のとおり審決する。
【結　論】
　特許第２１３６２７６号の請求項１ないし４に係る発明についての特許を無効とする。
　審判費用は、被請求人の負担とする。
【理　由】
１．手続きの経緯
　本件特許第２１３６２７６号発明は、昭和６３年７月６日に出願（特願昭６３−１６８５４０号）され、平成７年１月１８日に出願公告（特公平７−２４１３号公報）された後、平成１０年５月１５日に設定登録がなされたものであって、その後、平成１２年６月２７日付けで訂正審判の請求（訂正２０００−３９０６８号）がなされ、訂正認容の審決がなされ、平成１３年１１月２７日で審決は確定した。これに対して、平成１３年１２月５日付けでアイカ工業株式会社より第１回無効審判の請求がなされ、その後、平成１５年２月７日付けで第２回無効審判の請求（本件無効審判事件）がなされたものである。
　
２．本件特許発明
　その特許発明は、上記「１．手続の経緯」で言及したように訂正審判が認容され、確定したことから、訂正明細書及び図面の記載からみて、特許請求の範囲請求項１ないし請求項４に係る発明（以下、「本件発明１ないし本件発明４」という。）は、その特許請求の範囲に記載された次のとおりのものと認める。
　「　【請求項１】　基材からなるベース層上に形成された金属調化粧紙からなるパターン層と，該金属調化粧紙に含浸したメラミン樹脂層と，該メラミン樹脂層上に形成されたオーバーレイ層とからなる金属調メラミン樹脂化粧板であって，オーバーレイ層表面にはエンボス加工による凹凸面が形成されていると共に，前記金属調化粧紙からなるパターン層はグラビア印刷により得られる，輝度物質微粉を含有する印刷凹凸目を有することを特徴とする金属調メラミン樹脂化粧板。
【請求項２】　第１請求項に記載の金属調メラミン樹脂化粧板において，上記輝度物質微粉は，パール粉末，マイカ粉末，バーミキュライト粉末，金粉末，銀粉末，銅粉末，及びアルミニウム粉末から選ばれる少なくとも１種であることを特徴とする金属調メラミン樹脂化粧板。
【請求項３】　第１請求項に記載の金属調メラミン樹脂化粧板において，上記オーバーレイ層の表面の凹凸面は，凸部の高さが１μｍ〜６０μｍであり，また凸部間のピッチが１０μｍ〜３００μｍであることを特徴とする金属調メラミン樹脂化粧板。
【請求項４】　基材からなるベース層上に形成された金属調化粧紙からなるパターン層と，該金属調化粧紙に含浸したメラミン樹脂層とからなる金属調メラミン樹脂化粧板であって，前記メラミン樹脂層表面にはエンボス加工による凹凸面が形成されていると共に，前記金属調化粧紙はグラビア印刷により得られる，輝度物質徴粉を含有する印刷凹凸目を有することを特徴とする金属調メラミン樹脂化粧板。　」
　
３．無効審判請求の概要
　無効審判における当事者の主張は、以下のとおりである。
３−１　請求人の主張
　請求人は、下記甲第１ないし第１８号証の２を提出して、
　本件請求項１，２に係る特許発明は、本件特許出願前に日本国内で頒布された甲第１号証に記載された発明であり、特許法第２９条第１項の規定により特許を受けることができないものである。
　本件請求項１，２，３に係る特許発明は、甲第１号証に記載された発明に基づいて、あるいは甲第１号証に記載された発明に加え、甲第３号証と甲第７号証の少なくとも一方に記載された発明に基づいて、あるいは甲第２，３，６号証に記載された発明に基づいて、あるいは甲第２，３，６，７号証に記載された発明に基づいて、あるいは甲第２，３，６号証及び甲第１または４号証に記載された発明に基づいて、あるいは甲第２，３，６，７号証及び甲第１または４号証に記載された発明に基づいて、あるいは甲第５，３，６号証に記載された発明に基づいて、あるいは甲第５，３，６，７号証に記載された発明に基づいて、あるいは甲第５号証及び甲第１または４号証に記載された発明に基づいて、あるいは甲第５号証及び甲第１または４号証に記載された発明に加え、甲第３号証と甲第７号証の少なくとも一方に記載された発明に基づいて、当業者が容易に発明をすことができたものであり、特許法第２９条第２項の規定により特許を受けることができないものである。
　本件請求項４に係る特許発明は、本件特許出願前に日本国内で頒布された甲第５号証に記載された発明であり、特許法第２９条第１項の規定により特許を受けることができないものであり、また、少なくとも甲第５号証に記載された発明に基づいて特許法第２９条第２項の規定により特許を受けることができないものである。
　また、本件請求項４に係る特許発明は、甲第２，５号証及び甲第１または４号証に記載された発明に基づいて、あるいは甲第２，５号証及び甲第１または４号証に記載された発明に加え、甲第３号証と甲第７号証の少なくとも一方に記載された発明に基づいて、あるいは甲第２，３，６号証に記載された発明または甲第２，３，６，７号証に記載された発明に基づいて、あるいは甲第５号証及び甲第１または甲第４号証に記載された発明に基づいて、あるいは甲第５号証及び甲第１または甲第４号証に記載された発明に加え、甲第３号証と甲第７号証の少なくとも一方に記載された発明に基づいて、あるいは甲第５，３，６号証に記載された発明に基づいて、あるいは甲第５，３，６，７号証に記載された発明に基づいて、当業者が容易に発明をすることができたものであり、特許法第２９条第２項の規定により特許を受けることができないものである。
　本件特許明細書はその記載が不備であり、特許法第３６条第４項又は同条第５項第２号に規定する要件を満たしていないものであるから、本件特許は特許法第３６条第４項又は同条第５項第２号に違反してなされたものである。
　また、本件特許は特許法第２９条第１項柱書に違反してなされたものでもある。
　
　よって、本件請求項１ないし４に係る特許は、特許法第１２３条第１項に該当し、無効とすべきである。
　
証拠方法
（１）甲第１号証　特開昭５５−１５９９７０号公報
（２）甲第２号証　特開昭６３−８４９３６号公報
（３）甲第３号証　新建材研究所編「化粧板ハンドブック」、昭和４８年１０月３０日発行、新建材研究所、Ｐ１０２〜１１１、Ｐ１９６〜１９９
（４）甲第４号証　実公昭４９−２７７６５号公報
（５）甲第５号証　特開昭５４−９６５７９号公報
（６）甲第６号証　岩井信次外１名編「高分子工学講座　８　熱硬化性樹脂とその加工　」、昭和３９年６月１５日発行、株式会社地人書館、Ｐ２９８〜３１５
（７）甲第７号証　特開昭５４−２５９７３号公報
（８）甲第８号証　新村　出編「広辞苑（第４版）」、１９９７年１月１０日発行、株式会社岩波書店、「しつ・かん」の項
（９）甲第９号証　梅棹忠夫外３名監修「日本語大辞典」、１９９１年６月１８日発行、株式会社講談社、Ｐ８５９「しつ・かん」の項、Ｐ１２６７「チョウ　調」の項
（１０）甲第１０号証　小川　伸著「英和　プラスチック工業辞典」、１９９２年５月２５日発行、株式会社工業調査会、Ｐ５９１「ｍｅｔａｌ」の項
（１１）甲第１１号証　寺澤正男編著「金属工学辞典」、昭和５３年（１９７８年）１１月３０日発行、株式会社地人書館、Ｐ１２０「金属」の項
（１２）甲第１２号証　被請求人（原告イビデン株式会社）が東京地方裁判所へ提出した訴状（事件番号　平成１３年（ワ）第２２５６９号）Ｐ１〜９、物件目録（Ｐ１〜２）、原告イビデン株式会社作成の平成１３年１０月３０日付け訂正の申立と別紙イ、ロ号物件目録
（１３）甲第１３号証　「　’９１　新柄入　アイカ化粧板　ハイセンスシリーズＰＡＲＴ−１　」、９１．０４．５Ｓ　材質見本帳
（１４）甲第１４号証　甲第１３号証で「ウッディ仕上げ」とされたＰＪ−５４１１ＢＭ６２のサンプル
（１５）甲第１５号証　財団法人日本規格協会編「ＪＩＳ工業用語大辞典（第３版）」、１９９１年１１月２０日発行、財団法人日本規格協会、Ｐ３３３「含浸」の項
（１６）甲第１６号証　大蔵省印刷局研究所編「印刷局研究所報告　Ｎｏ．５３（Ｍａｒｃｈ，１９８３）」、昭和５８年３月３１日発行、大蔵省印刷局研究所、Ｐ１１〜２３
（１７）甲第１７号証　財団法人高分子学会編「高分子工学講座　１０　色材工学　塗料・顔料・印刷インキ」、昭和３９年１０月５日発行、株式会社地人書館、Ｐ７８〜８５
（１８）甲第１８号証の１　「PLASTICS　SOUTHERN　AFRICA−OCTOBER　１９７８」、Ｐ５２，５５，５７，５９
　　　　甲第１８号証の２　同Ｐ５２の部分翻訳文
　
３−２．被請求人の主張
　被請求人は、証拠方法として、添付資料１〜４及び乙第１〜第７号証を提出し、請求人の主張する理由及び提出された証拠によって本件請求項１ないし４に係る特許を無効とすることはできない、具体的には、
本件発明は、
ｉ）前記オーバーレイ層表面またはメラミン樹脂表面にはエンボス加工による凹凸面が形成されていること、
ｉｉ）さらに、ｉ）と共に、前記金属調化粧紙からなるパターン層は、輝度物質微粉を含有するインクを用いることによって、単なるグラビアインクのように紙にインクが全て浸透することなく、輝度物質微粉は必ず化粧紙上に存在することになり、必ず化粧紙上に印刷凹凸目として存在することを見出し、初めて化粧紙上に積極的にグラビア印刷により得られる、輝度物質微粉を含有する印刷凹凸目を有すること、との手段を主たる構成として採用したもので、本件特許発明の主たる構成の特徴を要約すれば、「表面にエンボス加工による凹凸が面状に形成されてなるとともに、パターン層にはこのエンボス加工と相まって浮き上がり効果を有するように、グラビア印刷により得られる，輝度物質微粉を含有する印刷凹凸目を化粧紙に設けた」又は表現を変えて「輝度物質微粉を含有する印刷凹凸目と、これと光反射相乗効果を有するようなエンボス面を設けた」ものである。
　以上の二つの要件は、単独に用いた場合には本件特許発明の課題を達成することは困難であって、以上の二つの要件の相乗効果によってはじめて本件特許発明の課題を達成することができるもので、本件特許発明の構成要件のみから実施して化粧板を作成すれば、化粧板の断面は、添付資料２に示すような状態になる。しかし、このような状態においても、前述の浮き上がり効果の同様の理論によって、輝度物質微粉の印刷凹凸目６１，６２が、あたかも、化粧板の最表面に存在するかのように浮き上がって認識することができるものであるから、本件特許の構成を、甲各号証から容易に想到することはできない。
　また、本件特許発明の明細書において、本件特許発明の構成、即ち、「グラビア印刷によって形成された輝度物質微粉の印刷凹凸目６１，６２と共に、エンボス加工による凹凸面４１，４２が形成されている」という構成が明確に記載されている以上、審判請求人のような当業者であれば、本件特許発明の作用効果を明確に理解できるものであること示している、
旨主張している。
　
証拠方法
（１）添付資料１　審判請求人の提出した参考図。
（２）添付資料２　実際に請求項４の構成要件で作成した場合に化粧板の側面断面図の模式図
（３）添付資料３　本件請求項１に係る発明と各甲号証との構成及び作用効果の比較を示す表。
（４）添付資料４　本件請求項４に係る発明と各甲号証との構成及び作用効果の比較を示す表。
（５）乙第１号証　化粧板の最表面にエンボス加工面を形成しない状態のサンプル図。
（６）乙第２号証　化粧板の最表面にエンボス加工面を形成した状態のサンプル図。
（７）乙第３号証　甲第１号証に記載されたエンボスと同様のエンボスが付された化粧板のサンプル（ＪＩ２４Ｂ　アイカ化粧板１’９６〜’９７カタログから抜粋）
（８）乙第４号証　金属調の表現を用いた公報（実開平２−９９９３８号）
（９）乙第５号証　金属調の表現を用いた公報（特開２００２−２９２００号）
（１０）乙第６号証　金属調の表現を用いた公報（特開２００１−３１４８１３号）
（１１）乙第７号証　印刷凹凸目を測定した実験データ
　
４．引用刊行物記載の事項
　無効審判請求人、アイカ工業株式会社が提出した証拠方法には、それぞれ、以下の事項が記載されているものと認められる。
（ａ）甲第５号証（以下「刊行物１」という。）、
　（ａ−１）「（１）紙その他のシート状物の一面に金属微粉末を含有するメタリツクインク層および該メタリツクインク層を被覆する透明インク層を順に全面に設けた後、上記シート状物に熱硬化性樹脂液を含浸乾燥せしめて樹脂含浸シートを作成し、該樹脂含浸シートを基材上に配して熱圧一体化せしめることを特徴とするメタリツク化粧板の製造法。
（２）シート状物に熱硬化性樹脂液を含浸させた後、微細な突起を有するローラ又はバーにて上記シート状物に設けられたインク層を部分的に加圧するとともにシート状物に含まれる過剰な樹脂液を除去し、次いで乾燥することを特徴とする特許請求の範囲第１項記載のメタリツク化粧板の製造法。
（３）樹脂含浸シートを透明インク層が最外部に位置するように基材上に配することを特徴とする特許請求の範囲第１項又は第２項記載のメタリツク化粧板の製造法。
（４）基材上に配された樹脂含浸シート上に樹脂の含浸により透明化されるオーバーレイ紙等のシート状物を配して熱圧一体化せしめることを特徴とする特許請求の範囲第３項記載のメタリツク化粧板の製造法。
（５）樹脂含浸シートのシート状物は樹脂の含浸により透明化されるオーバレイ紙等のシート状物であり、且つ上記樹脂含浸シートを透明インク層がシートと基材との間に位置するように基材上に配することを特徴とする特許請求の範囲第１項又は第２項記載のメタリツク化粧板の製造法。」（特許請求の範囲の第１〜第５項）、
　（ａ−２）「メタリツク印刷を施した後、メタリツク印刷層を保護する透明インク層を設けることにより、樹脂含浸時の金属微粉末の脱落および樹脂の流動による金属粉末の流動を防止し、メタリツク感のバラツキの発生を防止する・・・上記シート状物に熱硬化性樹脂液を含浸乾燥させて樹脂含浸シートを作成し、該樹脂含浸シートを基材上に配して熱圧一体化せしめる・・・更に、基材上に樹脂含浸シートをそのインク層が最外部に位置するように・・・一体化することにより、メタリツクインク層の強力な保護層を形成し得るようにしたものである。また、・・・シートと基材との間に位置するように・・・メタリツクインク層の保護層をより簡易に得ることができるようにしたものである。」（第２頁上左欄２０行〜同頁下左欄１１行）、
　（ａ−３）「先ず，化粧紙等のシート状物１に対しアルミ粉末等の金属微粉末を含有する透明インクでもって全面に印刷してメタリックインク層を形成する。・・・ここにおいて、メタリツクインク層を被覆する透明インク層２は金属微粉末の形状等に応じて１回以上の印刷により塗布されるが、・・・一面に設けるのみであるので後の樹脂含浸並びに熱圧の工程には支障はない。また、含浸に使用する熱硬化性樹脂液としては・・・メラミン、・・・その他の熱硬化性樹脂が用いられ、化粧板の用途に応じて選択される。・・・金属微粉末がシート３中に埋没された状態となるので、異なつた外観および光の反射を示すようになる。これにより、樹脂含浸シート３に例えばヘアーライン状の外観を与えることができるのである。・・・シート３と基材４とが一体化された化粧板が得られる。」（第２頁下左欄１５行〜第３頁上左欄９行）
　（ａ−４）「上記基材４としては合板、ハーティクルボード等の木質板、積層含浸紙等が用いられる。・・・更に、この時、第２図に示すように、上記透明インク層２上に、樹脂が含浸されることにより透明化されるオーバレイ紙５等のシート状物を配して熱圧すれば、熱圧により熱硬化性樹脂が流動状態になつた時点でオーバレイ紙５は樹脂が含浸されて透明化し、メタリツクインク層の強力な保護層を形成するので、傷等を受けやすい用途に適するメタリツク化粧板を製造することができる。」（第３頁上左欄９行〜同頁上右欄２行）
　（ａ−５）「上記化粧板は熱圧時に鏡面板を介して熱圧されるが、鏡面板に代えてエンボス賦型板を介して熱圧してもよい。特に細かい模様のエンボスを与えるときにはエンボスによりメタリツク感が消失するので、これを利用して部分的に模様を有するメタリツク化粧板を得ることができる。・・・更に、含浸樹脂液が乾燥するまでの間にロール又はバーに設けた微細突起等により部分的にメタリツクインク層を擦ることにより、もしくは模様状のエンボス賦型板を使用することにより、ヘアラインその他の模様を簡易に形成することができる。」（第３頁上右欄１４行〜同頁下左欄１５行）
　（ａ−６）「１・・シート状物、２・７・・透明インク層、３・・樹脂含浸シート、４・・基材、５・６・・オーバレイ紙、８・・樹脂含浸オーバレイ紙。
第１図〜第３図」（第３頁下右欄５行〜第４頁）
　
（ｂ）甲第１号証（以下、「刊行物２」という。）
（ｂ−１）「（１）所望の木目模様を施した透明紙と、パールインキ単独又は盛り上げインキとパールインキとを併用して、又はそれらに通常インキを併用してツキ板柄模様を施した原紙とを、透明な接着剤を介して貼合するか、あるいは熱硬化性樹脂を含浸させた後、基材と一体化させることを特徴とする天然木調化粧板の製造方法。
　（２）透明な接着剤を介して貼合した後、エンボス加工を施してツキ板柄の凹凸形状を表現した後で基材と一体化させることを特徴とする天然木調化粧板の製造方法」（特許請求の範囲の第１、第２項）、
（ｂ−２）「次いで第２図に示す様に原紙（４）の片面に、金属粉末、雲母系顔料、パール顔料等を混入したパールインキ、・・・ツキ板柄模様層（５）を形成して化粧紙（６）を作成する。・・・透明化粧シート（３）と化粧紙（６）とを・・・貼り合わせる。・・・次に必要に応じてツキ板柄の凹凸形状にエンボス加工を施す。・・・又、透明化粧シートの上に透明な表面樹脂層（１０）を設けることもできる。この表面樹脂層は、化粧板の深みを増加させる他に木目模様（２）の保護や透明紙の耐セロテープ性等の表面性能を向上させる働きをする。」（第２頁上左欄１行〜１９行）、
　（ｂ−３）「なお第４図において、（１３）は加熱加圧によって透明化粧シート（３）や化粧紙（６）から滲み出した含浸樹脂の層を示す。そしてその含浸樹脂としては、メラミン樹脂、・・・等の透明な熱硬化性樹脂が使用できる。」（第２頁下右欄１５〜２０行）
　（ｂ−４）「［実施例　１］　坪量２０ｇ／ｍ２の透明紙、ＡＮ原紙（・・・）にグラビア印刷機で透明インキを用いてベタ刷層を除いた４色柄のチーク柄木目模様を印刷して透明化粧シートを作成した。次に、坪量２３ｇ／ｍ２の樹脂混抄紙、ＴＳシート（・・・）にグラビア印刷機でベタ刷層にはパールインキを用いて、木目模様部分には通常インキを用いて３色柄の白ラワン柄木目模様を印刷して化粧紙を得た。」（第３頁上左欄１０〜１９行）
　
（ｃ）甲第４号証（以下、「刊行物３」という。）
　（ｃ−１）「簡易、低廉に高級建材に近似した質感を顕視し得る化粧紙の開発が要望されていた。本考案は、・・・これを或る角度から視るときは容易に織別し得るが、これは条溝が周辺の平滑な板面に対して光学的に著しく異る挙動を示すからであつて、該条溝が殆どの視角からは著しく暗部として感ぜられ、又或る視角からは明るい反射光を伴つて見えるものである。・・・本考案はかかる光学的反射現象を利用し、導管溝部を印刷するインキ中にアルミ・ブロンズ等の金属微粉を混入して印刷することにより、恰も凹条溝が存在するかの如き外観を呈する木目柄化粧紙である。」（第１頁第１欄２８行〜第２欄第９行）
　（ｃ−２）「通常のグラビアインキであれば濃淡の間に適宜の階調を持たせることができるが、金属微粉混入のインキでは隠蔽力が大きいため、中間階調を欠いた濃淡差が出てしまう。・・・これを補うために次の手段を講ずる。即ち金属微粉を混入する無色のグラビアインキを、予め染料又は顔料によつて着色して置くことである。・・・粒径が小さい程、印刷版の版深の浅い部分にまで金属微粉が転移する」（第２頁第３欄１〜１１行）
　
（ｄ）甲第３号証（「化粧板ハンドブック」、新建材研究所、昭和４８年１０月３０日発行）、及び甲第６号証（「熱硬化性樹脂とその加工」、株式会社地人書館、昭和３９年６月１５日発行）には、下記の記載があり、
　「　化粧板の技術分野において、化粧紙の印刷にグラビア印刷すること　」は、周知の技術手段であることが認められる。
（ｄ１）甲第３号証；「化粧板ハンドブック」、新建材研究所（以下、「周知例１」と言う。）
（ｄ１−１）甲第３号証の第１０４頁には、「オーバーレイ紙」、「化粧紙」、「コアー紙」を積層した「メラミン化粧板」が記載されている（別図（１））。
（ｄ１−２）「ニ　エンボス仕上」の項に「柄に自然感を与える為、柄に合った凹凸を付けたもので，例えば皮革模様，木目の導管模様，荒い織目模様，梨地模様，などいろいろなものがみられる。」（第１０５頁２〜５行）、
（ｄ１−３）「２−１　高圧メラミン化粧板　２−１−２　含浸乾燥工程」の項に「オーバーレイは厚さ１〜４ミルスの薄い紙に触媒を加えた、メラミン樹脂液を含浸乾燥させ，紙に対する樹脂量を１００〜１５０％にしたものである。化粧含浸紙はいわゆるチタン紙に同様メラミン樹脂液を含浸乾燥させたものであり，・・・」と記載されている（第１０５頁下から８〜４行）。
（ｄ１−４）「化粧紙の現状と将来　１．　化粧紙の定義」の項に「化粧紙乃至化粧フィルムは通常，紙又は合成樹脂フィルム等に主としてグラビア印刷をほどこして成るフィルム状の物質である」（第１９６頁１４〜１６行）、「２．　化粧紙の種類」の項に「広義の化粧紙として取引上分類されているものには、原反別に見て（イ）８０ｇ／米坪以上のチタン紙・・・主としてメラミン樹脂化粧板用　（ロ）・・・・・・などにグラビア印刷されたものである。また、狭義には（イ）（ロ）（ハ）に印刷されたものを化粧紙ということもある。」が記載されている（第１９７頁１〜１５行）。
　
（ｄ２）「熱硬化性樹脂とその加工」、株式会社地人書館（以下、「周知例２」という。）
（ｄ２−１）「５．メラミン樹脂」の項の「５．３　メラミン樹脂の製造および用途　５．３．３積層板　（Ｂ）　化粧板の製造法」の項には、「（ａ）　使用材料 （ｉ）オーバーレイ紙　・・・要求される性質は透明性の良いこと，樹脂の吸収性の良好なこと，成形時に変色のないこと，・・・　（ｉｉ）　パターン紙　パターン紙には大別して顔料を抄き込んだ無地のものと，さらにその上に熱圧時に変色の少ないインクを使用してグラビア印刷された柄模様紙の２種がある。」（第３０８頁１５〜２５行）、
（ｄ２−２）「（ｄ）　成　形」の項には、「化粧板のＪＩＳ規格は最近決定し発表された（ＪＩＳ　Ｋ　６９０２〜３）．化粧板の製造法には種々の改良がみられ表面に凹凸模様をつけたり１），・・・パターン紙の印刷方法を改良して３）立体感のあるデザインを得る方法などがある．」（第３１４頁５〜８行）が記載されている。
　
５．当審の判断
５−１．本件発明１について
　刊行物１には、摘示記載（ａ−１）の特許請求の範囲第１項及び第４項に記載された事項及び摘示記載（ａ−２）、（ａ−３）によると、紙その他のシート状物の一面に金属微粉末を含有するメタリックインクにより形成されるメタリック印刷層および該メタリツク印刷層を被覆する透明インク層を順に全面に設けた後、熱硬化性樹脂液を上記シート状物に含浸させ、透明インク層を外側にして該樹脂含浸シート状物を基材上に配して熱圧一体化せしめるか、又はさらに、該樹脂含浸シート状物上に樹脂の含浸により透明化されるオーバーレイ紙等のシート状物を配して熱圧一体化せしめてなるメタリツク化粧板、が記載されているものと認められる。
　
（１）本件発明１と刊行物１記載の発明との対比
　本件発明１と刊行物１記載の発明、すなわち、前記摘示記載（ａ−１）のオーバーレイ紙等その他のシート状物を配して熱圧一体化してなる特許請求の範囲第４項記載の発明とを対比すると、刊行物１に記載の一面に金属微粉末を含有するメタリックインクにより形成されるメタリック印刷層及び該メタリック印刷層を被覆する透明インク層を順に全面に設けた紙その他のシート状物は金属調化粧紙と解することができるから、本件発明１の「金属調化粧紙からなるパターン層」に対応し、刊行物１記載の発明における、「基材」、「樹脂の含浸により透明化されるオーバーレイ紙等のシート状物」、「メタリック化粧板」は、それぞれ、本件発明１における、「基材からなるベース層」、「オーバーレイ層」、「金属調化粧板」に対応し、また、前記摘示記載（ａ−３）、（ａ−４）によれば、印刷処理したシート状物を熱硬化性樹脂により含浸すること及び含浸する熱硬化性樹脂はメラミン樹脂であり、メラミン樹脂により含浸されたシート状物は、基材上に配して熱圧一体化されること、及びオーバーレイ紙は樹脂に含浸され透明化することから、メタリック化粧紙がメラミン樹脂で含浸され、含浸したメラミン樹脂層が形成されているものと解することができ、本件発明１の「金属調化粧紙に含浸したメラミン樹脂層と、メラミン樹脂層上に形成されたオーバーレイ層からなる金属調メラミン樹脂化粧板」が開示されているものと認められる。更に、摘示記載（ａ−５）によれば、オーバーレイ紙を設けないメタリック含浸化粧紙の表面をエンボス加工するか、又はオーバーレイ紙をメタリック含浸化粧紙の表面に積層した後、エンボス加工することが記載されていることから、本件発明１の「オーバーレイ層表面にはエンボス加工による凹凸面が形成されている」点が開示されているものと認められる。
　以上のことから、両者は次の点で一致する。
　基材からなるベース層上に形成された金属調化粧紙からなるパターン層と，該金属調化粧紙に含浸したメラミン樹脂層と，該メラミン樹脂層上に形成されたオーバーレイ層と、からなる金属調メラミン樹脂化粧板であって、オーバーレイ層表面にはエンボス加工による凹凸面が形成されている金属調メラミン樹脂化粧板。
　そして、両者は、下記相違点１の点で相違している。
　相違点１
　本件発明１では、金属調化粧紙からなるパターン層はグラビア印刷により得られる，輝度物質微粉を含有する印刷凹凸目を有するのに対し、刊行物１記載の発明では紙その他のシート状物に金属微粉末を含有するメタリックインクにより形成されるメタリック印刷層を施した後、メタリック印刷層を保護する透明インク層を設けてなる点。
　
（２）相違点１に対する検討
　刊行物１記載の発明の透明インクで被覆されたメタリック印刷層は、透明インクに金属微粉末を含有するメタリックインクでメタリック印刷されたものであり、その表面に透明インクが被覆されており、透明インクによりメタリック印刷層が固定されているものであるから、本件発明におけるグラビア印刷により得られる、輝度物質微粉を含有する印刷凹凸目を有する印刷層に対応するものである。
　また、透明インク層で被覆されたメタリック印刷層を形成した紙その他のシート状物のメタリック印刷層に関して、メタリック印刷を施したと記載するのみで、その具体的な印刷法について記載されていないが、当該化粧板の技術分野において化粧紙の印刷にグラビア印刷を用いることは周知例１、２として挙げたように周知慣用技術にすぎず、刊行物２、３には、化粧板の化粧紙に金属微粉末のような輝度物質微粉を含有するインクをグラビア印刷する技術が開示されており、輝度物質微粉を含有するインクを用いてグラビア印刷することは、本件特許の出願時に公知であったと認められる。
　そして、刊行物２、３等のグラビア印刷するものでは、グラビア印刷はインクをロール表面の模様を表現する多数の凹所内に充填し、その凹所内に充填されたインクが紙等の表面に転写され、凹所に対応したインクの点の集まりとして模様等の印刷が行われるものであること、また、本件発明１における「印刷凹凸目」とは技術用語として通常に用いられている用語ではなく、当該明細書中において特別に定義されたものであって、「輝度物質微粉を含有するインクを用いてグラビア印刷すれば，印刷凹凸目が形成される」ものであることを前提としているものと認められる。
　とすると、刊行物１記載の発明のメタリック化粧板における透明インク層で被覆されたメタリック印刷層の形成手段として、当該技術分野において周知慣用技術であるグラビア印刷法を採用することは当業者が容易に想到し得ることと認められ、刊行物１記載の発明において、メタリック印刷層の形成に際し、グラビア印刷を適用することにより「印刷凹凸目」が形成されるものであるから、上記相違点１は当業者が容易に想到し、なし得るものと認める。
　被請求人は、本件発明１は、オーバーレイ層表面のエンボス加工による凹凸面と輝度物質微粉を含有する印刷凹凸目の光反射相乗効果により印刷凹凸目を浮かび上がらせると主張している。
　しかしながら、本件特許請求の範囲請求項１は、「オーバーレイ層表面にはエンボス加工による凹凸面が形成されていると共に，前記金属調化粧紙からなるパターン層はグラビア印刷により得られる，輝度物質微粉を含有する印刷凹凸目を有する」と規定するのみであって、被請求人が主張するするような「エンボス加工による凹凸面と輝度物質微粉を含有する印刷凹凸目の光反射相乗効果により印刷凹凸目を浮かび上がらせる」ための構成である「エンボス加工面と金属調化粧紙の印刷凹凸目において双方の凹凸が同調する」点に関しては何ら規定されていない。
　したがって、この光反射相乗効果の点は特許請求の範囲の記載に基づかない作用効果であり、被請求人の主張は採用することができない。
　そうすると、本件発明１が光反射相乗効果を奏し得るものとは認められず、本件発明１によってもたらされるメタリック装飾美とエンボス加工美とを併有する効果は、刊行物１ないし刊行物３及び周知例１、２に記載のそれぞれのものから、当業者であれば当然に予測することができる程度のものであって、格別顕著なものとはいえない。
　以上のとおりであるから、本件発明１は、刊行物１記載の発明及び周知例１、２並びに刊行物２、３記載の発明に基づいて当業者が容易に発明することができたものであるから、特許法第２９条第２項に基づいて特許を受けることができないものと認める。
　
５−２．本件発明２について
（１）本件発明１を引用した、本件発明２と刊行物１記載の発明との対比
　本件発明２は、輝度物質微粉を、「パール粉末，マイカ粉末，バーミキュライト粉末，金粉末，銀粉末，銅粉末，及びアルミニウム粉末から選ばれる少なくとも１種」に限定するものである。
　しかしながら、輝度物質微粉として、刊行物１においてはアルミ粉末等の金属微粉末、また、刊行物３では、アルミ、ブロンズ等の金属微粉を使用することが記載されており、本件発明２の輝度物質微粉として例示されている「金粉末，銀粉末，銅粉末，及びアルミニウム粉末」の金属微粉末を包含しているものと認められる。さらに、化粧板の技術分野において用いられる輝度物質微粉として「パール粉末，マイカ粉末」も、刊行物２に例示されているように本件特許の出願時に公知のものであって、通常に採用されているものにすぎない。
　そして、本件発明２は、本件発明１を引用し、本件発明１における輝度物質微粉を特定したものであるから、本件発明１について前記５−１．において記載した理由と同様の理由により、本件発明２は、刊行物１記載の発明及び周知例１、２並びに刊行物２、３記載の発明に基づいて当業者が容易に発明することができたものであるから、特許法第２９条第２項に基づいて特許を受けることができないものである。
　
５−３．本件発明３について
（１）本件発明１を引用した、本件発明３と刊行物１記載の発明との対比
　本件発明３は、オーバーレイ層の表面の凹凸面の凸部の高さが１μｍ〜６０μｍ及び凸部間のピッチが１０μｍ〜３００μｍと数値的に限定を加えたものである。
　ところで、刊行物１記載の発明は、上記摘示記載（ａ−５）によれば、「細かい模様のエンボスを与えるときにはエンボスによりメタリツク感が消失する」、また「ヘアラインその他の模様を簡易に形成」と記載されているように、凸部の大きさ自体を特定するところはないが、微細な凹凸から模様等の凹凸までも包含する凹凸を付与するものである。凹凸を付与することにより模様付けや艶消し等を行うに際し、表面エンボスの凸部の高さ、間隔といった点は、凹凸を付与する目的に応じて適宜設定し、変更を加えるものであるから、凸部の高さと凸部間の間隔を特定することは、必要に応じて適宜行う設計的な事項であるといえ、本件発明３のような凸部の高さ、凸部間の間隔とすることに格別顕著な困難性を見出すことはできず、当業者が必要に応じて容易になし得た程度のことである。
　しかも、全体として、本件発明１を引用した、本件発明３によってもたらされる効果も、刊行物１記載の発明及び周知例１、２並びに刊行物２、３記載の発明から、当業者であれば当然に予測することができる程度のものであって、格別顕著なものとは言えない。
　したがって、本件発明１を引用した、本件発明３は、刊行物１記載の発明及び周知例１、２並びに刊行物２、３記載の発明に基づいて、当業者が容易に発明をすることができたものである。
　
５−４．本件発明４について
（１）本件発明４と刊行物１記載の発明との対比
　本件発明４は、本件発明１におけるオーバーレイ層のないメラミン樹脂含浸化粧板である。
　上記５−１．に記載したように、刊行物１には、紙その他のシート状物の一面に金属微粉末を含有するメタリックインクにより形成されるメタリック印刷層および該メタリツク印刷層を被覆する透明インク層を順に全面に設けた後、熱硬化性樹脂液を上記シート状物に含浸させ、透明インク層を外側にして該樹脂含浸シート状物を基材上に配して熱圧一体化せしめてなるメタリツク化粧板、の発明が記載されている。
　本件発明４と刊行物１記載の発明とを対比すると、オーバーレイ紙等のシート状物を設けた発明である本件発明１について、刊行物１記載の発明と対比・検討している５−１．（１）の記載にあるような刊行物１記載の発明の各構成との対応が、本件発明４においても認められるとともに、オーバーレイ紙を設けないメタリック樹脂含浸化粧紙の表面をエンボス加工すること、また、摘示記載（ａ−４）の記載から、樹脂含浸シート状物に含浸した樹脂が熱圧により滲み出て含浸樹脂層を形成すると認められることから、
　両者は次の点で一致する。
　基材からなるベース層上に形成された金属調化粧紙からなるパターン層と，該金属調化粧紙に含浸したメラミン樹脂層とからなる金属調メラミン樹脂化粧板であって、メラミン樹脂層表面にはエンボス加工による凹凸面が形成されている金属調メラミン樹脂化粧板。
　そして、両者は、下記の相違点１の点で相違している。
　相違点１
　本件発明４では、金属調化粧紙からなるパターン層はグラビア印刷により得られる，輝度物質微粉を含有する印刷凹凸目を有するのに対し、刊行物１記載の発明では、シート状物に金属微粉末を含有するメタリックインクにより形成されるメタリック印刷層を施した後、メタリック印刷層を保護する透明インク層を設けてなる点。
　
（２）相違点１に対する検討
　相違点１について、上記５−１．（２）に記載したような理由により、刊行物１記載の発明のメタリック化粧板の透明インク層で被覆されたメタリック印刷層の形成手段として、当該技術分野において周知慣用であるグラビア印刷法を採用することは当業者が容易に想到し得ることと認められ、刊行物１記載の発明においてメタリック印刷層の形成に際し、グラビア印刷を適用することにより「印刷凹凸目」が形成されるものと認められるから、上記相違点１は当業者が容易に想到し、なし得るものと認める。
　被請求人は、本件発明１は、前記メラミン樹脂層表面のエンボス加工による凹凸面と輝度物質微粉を含有する印刷凹凸目の光反射相乗効果により印刷凹凸目を浮かび上がらせると主張している。
　しかしながら、本件特許請求の範囲請求項４は、「前記メラミン樹脂層表面にはエンボス加工による凹凸面が形成されていると共に，前記金属調化粧紙からなるパターン層はグラビア印刷により得られる，輝度物質微粉を含有する印刷凹凸目を有する」と規定するのみであって、被請求人が主張するするような「エンボス加工による凹凸面と輝度物質微粉を含有する印刷凹凸目の光反射相乗効果により印刷凹凸目を浮かび上がらせる」ための構成である「エンボス加工面と金属調化粧紙の印刷凹凸目において双方の凹凸が同調する」点に関しては何ら規定されていない。
　したがって、この光反射相乗効果の点は特許請求の範囲の記載に基づかない作用効果であり、被請求人の主張は採用することができない。
　そうすると、本件発明４が光反射相乗効果を奏し得るものとは認められず、本件発明４によってもたらされるメタリック装飾美とエンボス加工美とを併有する効果は、刊行物１ないし刊行物３及び周知例１、２に記載のそれぞれのものから、当業者であれば当然に予測することができる程度のものであって、格別顕著なものとはいえない。
　以上のとおりであるから、本件発明４は、刊行物１記載の発明及び周知例１、２並びに刊行物２、３記載の発明に基づいて当業者が容易に発明することができたものであるから、特許法第２９条第２項に基づいて特許を受けることができないものと認める。
　
６．むずび
　以上のとおりであるから、本件請求項１ないし請求項４に係る発明の特許は、特許法第２９条第２項の規定に違反してなされたものに該当し、他の無効審判請求の理由を検討するまでもなく、特許法第１２３条第１項第２号の規定により無効とすべきものである。
　審判に関する費用については、特許法第１６９条第２項の規定で準用する民事訴訟法第６１条の規定により、被請求人が負担すべきものとする。
　よって、結論のとおり審決する。